(57)【要約】【課題】盗難を未然に防ぎ、防犯に役立つテレビジョンカメラを提供する。【解決手段】テレビジョンカメラの設置状況における状況の変化を検出するセンサ１５，１６，１９と、該センサにより検出された状況の変化である温度変化，照度変化，衝撃などによりアラームを発生する手段９と、該手段により発生したアラームを映像に重畳するかまたは外部に連続録画中の画像に異常有りの情報を重畳して報知する手段１４，１７，１８を備えたことを特徴とする。【選択図】  図１
2004289349.tif 000002
【特許請求の範囲】
【請求項１】
テレビジョンカメラの設置状況における状況の変化を検出するセンサと、該センサにより検出された状況の変化である温度変化，照度変化，衝撃などによりアラームを発生する手段と、該手段により発生した前記アラームを映像に重畳するかまたは外部に連続録画中の画像に異常有りの情報を重畳して報知する手段を備えたことを特徴とするテレビジョンカメラ。
【発明の詳細な説明】
【０００１】
【発明の属する技術分野】
本発明は、テレビジョンカメラに関し、特に異常を報知するテレビジョンカメラに関する。
【０００２】
【従来の技術】
防犯対策として、テレビジョンカメラ以外に各種センサを備えているＡＴＭ等があるが、テレビジョンカメラ自体に機能が連動しているのはない。
【０００３】
また、テレビジョンカメラ本体は、ポリカーボネート等の衝撃に強い材質を使い、対衝撃性能を高めているカメラがある（文献公知発明に係るものではない）。
【０００４】
【発明が解決しようとする課題】
郊外に設置されたＡＴＭ自動支払機、駐車場等、夜間人通りが少なくなる場所に設置される装置に組み込み、異常を検出したら画面に文字を表示、サイレンを鳴らす、外部に連絡する等の手段で監視者や、周囲に気づかせることが、要望される。
【０００５】
本発明の目的は、盗難を未然に防ぎ、防犯に役立つテレビジョンカメラを提供することにある。
【０００６】
【課題を解決するための手段】
上記目的を達成するため、本発明は、テレビジョンカメラの設置状況における種々な状況の変化を検出するセンサと、該センサにより検出された状況の変化によりアラームを発生する手段と、該手段により発生した前記アラームを報知する手段を備えたことを特徴とする。
【０００７】
ここで、状況の変化とは、異常状態が発生したことであり、下記の場合がある。
１．映像信号のレベル変化を検出し、スプレー等でレンズの前を塞がれ、映像信号レベルが低下したとき。
２．揺れ補正検出用に備えている角速度センサを利用し、カメラに襲撃を与えようとしたり、外したり、向きを変えさせようとしたとき等通常の揺れと違い、大幅な変化を検出したとき。
３．温度センサにより急激な温度変化を検出したとき。
【０００８】
また、異常状態の報知としては、下記のような形態がある。
１．モニタ画面に「異常発生」等異常を知らせる表示を出す。
２．警報サイレンのスイッチをＯＮにさせ、警報音を鳴らす。
３．ネットワークに接続していれば、外部に連絡する。
４．外部にＶＴＲなどが接続されているときは、映像信号に異常有りの情報としてＶＩＳＳ信号などの識別信号を重畳し、後から検索しやすくする。
【０００９】
【発明の実施の形態】
以下、本発明のテレビジョンカメラの実施の形態を、図１の構成に基づき説明する。
【００１０】
図１において、１は被写体からの光が入射する撮像レンズ、２は撮像レンズ１から入射する光を光電変換し、電荷として画素内に蓄積し、露光終了後映像信号として出力する撮像素子、３は撮像素子２から出力された映像信号の雑音を除去する相関二重サンプリング（ＣＤＳ）回路、４は映像信号をマイクロコンピュータ９で指定した所要レベルになるよう調整する自動利得制御（ＡＧＣ）回路である。
【００１１】
また、５はアナログ／デジタル（Ａ／Ｄ）変換回路、６はデジタル映像信号の各種処理を行うデジタル信号処理回路（ＤＳＰ）、７はデジタル／アナログ（Ａ／Ｄ）変換回路、８は映像信号を所要レベルに増幅し出力する増幅回路、９は自動利得制御回路４のゲインとデジタル信号処理回路６で処理する映像信号について判断と制御とを行い、また撮像素子２の駆動回路１０を制御するマイクロコンピュータである。
【００１２】
また、１０はマイクロコンピュータ９で指定した蓄積時間になるように撮像素子２の電荷読みだしパルスを出力する駆動回路、１１は白や黒色のキャラクタや枠を発生させるキャラクタ発生回路、１２はＤ／Ａ変換回路７でアナログ信号に変換された映像信号とキャラクタ発生回路１１から出力されるキャラクタ信号を重畳させるＭＩＸ回路、１３はカメラの設定や領域のデータを保持するＥＥＰＲＯＭを示す。
【００１３】
本発明の実施の形態のテレビジョンカメラにおいて、被写体からの光は撮像レンズ１を介して撮像素子２に入射する。その光を光電変換し、電荷として画素内に蓄積し、マイクロコンピュータ９により制御される駆動回路１０から出力される電荷読みだしパルスにより所要の露光時間まで蓄積し、１画面分の映像信号が相関二重サンプリング回路３へ出力される。
【００１４】
相関二重サンプリング回路３は撮像素子２から出力された映像信号の雑音を除去し、サンプルホールドを行い、自動利得制御回路４へ出力する。
【００１５】
自動利得制御回路４は相関二重サンプリング回路３から入力した映像信号をマイクロコンピュータ９により指定されるレベルになるまで利得の制御を行い、所要の信号レベルの映像信号をＡ／Ｄ変換回路５へ出力する。
【００１６】
Ａ／Ｄ変換回路５は自動利得制御回路４から入力した所要の信号レベルの映像信号をデジタル処理に適応させるためにデジタル信号に変換し、デジタル信号処理回路６へ出力する。
【００１７】
デジタル映像信号処理回路６は、マイクロコンピュータ９の制御により、Ａ／Ｄ変換回路５から入力したデジタルの映像信号に輝度処理、色処理、ガンマ補正、輪郭補償等の画質制御とホワイトバランスの調整等の信号処理を行う。デジタル映像信号処理回路６は、信号処理を行ったデジタル映像信号をＤ／Ａ変換回路７へ出力する。Ｄ／Ａ変換回路７は、デジタル映像信号をアナログ信号に変換し、アナログの映像信号をＭＩＸ回路１２を経由して増幅回路８へ出力する。
【００１８】
ＭＩＸ回路１２は、Ｄ／Ａ変換回路７から入力した映像信号にキャラクタ発生回路１１により発生したキャラクタ信号を重畳する。
【００１９】
増幅回路８は、アナログの映像信号を所要の信号レベルに増幅し、映像記録装置１４、例えばタイムラプスビデオやＶＴＲなどの装置に出力する。ここで、映像記録装置１４は、識別信号発生回路１４Ａと映像信号記録部１４Ｂで構成されている。
【００２０】
前述のテレビジョンカメラの動作は通常のテレビジョンカメラの動作と同様であり、Ａ／Ｄ変換回路５から入力したデジタルの映像信号に輝度処理、色処理、ガンマ補正等の信号処理を行った輝度信号の急激な変化が有り、かつ輝度センサ１５から得られる明るさのデータが変化していない場合、マイクロコンピュータ９からアラーム信号を出力する。また、角速度センサ１６から得られる信号が急激に変化したときもアラーム信号をキャラクタ発生回路１１，警報音発生装置１７，ネットワーク出力１８のそれぞれに出力する。また、温度センサ１９から得られる温度が急激に変化したときも同様にアラーム信号を出力する。
【００２１】
キャラクタ発生回路１１は「異常発生」という文字を重畳し、警報音発生装置１７は警報音を鳴らし、ネットワーク出力１８は、異常が有ることを発信する。
【００２２】
また、外部に映像記録装置１４が接続されている場合には、マイクロコンピュータ９からアラーム信号を映像記録装置１４の識別信号発生回路１４Ａに出力して、ＶＩＳＳ信号などの識別信号を発生させ、映像信号記録部１４Ｂで映像信号に重畳して記録する。このことにより、後で異常があったときの映像を検索しやすくする。
【００２３】
本発明の実施の形態によれば、カメラに異常が発生した場合、画面に文字を表示、サイレンを鳴らす、外部に連絡する等の手段で、監視者や、周囲に気づかせることで、盗難を未然に防ぎ、防犯に役立たせることができる。また後で異常があったときの映像を検索しやすくする。
【００２４】
【発明の効果】
本発明によれば、盗難を未然に防ぎ、防犯に役立つテレビジョンカメラを得ることができる。
【図面の簡単な説明】
【図１】本発明のテレビジョンカメラの実施の形態のブロック構成図である。
【符号の説明】
１：撮像レンズ、２：撮像素子、３：相関二重サンプリング回路、４：自動利得制御回路、５：Ａ／Ｄ変換回路、６：デジタル映像信号処理回路、７：Ｄ／Ａ変換回路、８：出力増幅回路、９：マイクロコンピュータ、１０：駆動回路、１１：キャラクタ発生回路、１２：ＭＩＸ回路、１３：ＥＥＰＲＯＭ、１４：映像記録装置、１４Ａ：識別信号発生回路、１４Ｂ：映像信号記録部、１５：輝度センサ、１６：角速度センサ、１７：警報音発生装置、１８：ネットワーク出力装置、１９：温度センサ。
【図１】
2004289349.tif 000003